Podtech/llm-jp-corpus-v4-ja_patent huggingface dataset:
(57)【要約】      （修正有）【課題】従来の物干し用ハンガーは、フード付き衣類を干す際にフード部分が垂れ下がり、衣類の背中の部分と重なるため、重なった部分が乾きにくかった。また重なり部分ができることで背中方向に厚みが増し、洗濯物を干す際の他の洗濯物と間隔を広く必要とした。【解決手段】物干し用ハンガーのフック１と衣類の肩掛け部８の間の支持棒２を長くし、フードを固定させるためのフード用立体チューブ４，５，６を設けた。またフード用立体チューブと衣類の肩掛け部を可動式にして大人と子供兼用で使用できるようにした。【選択図】図１
2012081228.tif 000002
【特許請求の範囲】
【請求項１】
フード付き衣類のフード用立体チューブと、リング、ハンガー本体の衣類の肩を掛ける部分を伸縮式にし、大きさを調節できることを特徴とする洗濯物用衣類のパーカー用ハンガー。
【発明の詳細な説明】
【技術分野】
【０００１】本発明は、大人、子供兼用のパーカーを効率よく干すことが出来るハンガーに関するものである。
【背景技術】
【０００２】従来より、物干し用のハンガーは、フード付き衣類を干す場合不向きだった。
【発明の概要】
【発明が解決しようとする課題】
【０００３】従来の物干し用ハンガーは、フード付き衣類を干す際にフードの部分が垂れ下がり、衣類の背中の部分と重なり、乾きにくかった。【０００４】また、フードの垂れ下がったところが、重なりが出来ることにより厚くなるので、洗濯物を干す際に他の洗濯物との間隔を広く必要とした。【０００５】本発明は、以上のような問題点を解決されるためになされたものである。
【課題を解決するための手段】
【０００６】ハンガー本体のフックから下がる支持棒を長くし、支持棒に可動式の立体チューブを３本つけることでフードつき衣類のフードをハンガーの首の部分より上で固定できるようにした。【０００７】また、ハンガー本体の衣類の首から肩を掛ける部分を伸縮式にし、大きさを調節できるようにしたことで、被るタイプのフード付き衣類や子供用衣類でも使いやすくした。【０００８】本発明は、以上を特徴とするパーカー用ハンガーである。
【発明の効果】
【０００９】上述したように本発明のパーカー用ハンガーは、フード付き衣類のフードをハンガー上部で固定できるようにした事により、これらの衣類を干す際にかかる乾燥時間が短縮できると共に、大きさの調節も可能なため、大人と子供兼用で使用できる。【００１０】また、フード付き衣類のフードをハンガー上部で固定するので、従来のフードが垂れ下がることにより生じる、洗濯物を干す際の他の洗濯物との間のスペースが広くなるのを抑えることができ、干す際のスペースの効率を上げることができる。
【発明を実施するための最良の形態】
【００１１】以下、本発明を実施するための形態を説明する。【００１２】フック１を支持棒２にさしこみ、上からカバー１２を取り付け、更に支持具３にさしこむ。
立体チューブ４小に細い立体チューブ１１Ａをさしこみ、その上下に伸縮式リング７Ｂ、７ｃを、立体チューブ５中に細い立体チューブ１１をさしこみ、その上下に伸縮式リング７Ａ、７Ｄを、立体チューブ６大に細い立体チューブ１１Ｂをさしこみその上下に伸縮式リング７、７Ｅを、それぞれ取り付け、支持棒２に上から、伸縮式立体チューブ６大、５中、４小の順に取り付ける。【００１３】支持具３には伸縮式肩掛け部８、８Ａとスカート用フック９、９Ａ、ゴム１０、１０Ａ、１０Ｂ、１０Ｃ、１０Ｄ、１０Ｅ、をそれぞれ取り付ける。【００１４】本発明は以上のような構成である。
これを使用するときは、フック１を物干しに掛け、伸縮式肩掛け部８、８Ａに衣類の首から肩の部分を掛け、フード開口部の頂点をフード用伸縮式立体チューブ６大、５中、４小に掛ける。
【図面の簡単な説明】
【００１５】
【図１】本発明の斜視図である。
【図２】本発明の正面図である。
【図３】本発明の使用例である。
【符号の説明】
【００１６】１  フック
２  支持棒
３  支持具
４  立体チューブ小
５  立体チューブ中
６  立体チューブ大
７  伸縮式リング
７Ａ伸縮式リング
７Ｂ伸縮式リング
７Ｃ伸縮式リング
７Ｄ伸縮式リング
７Ｅ伸縮式リング
８  伸縮式肩掛け部
８Ａ伸縮式肩掛け部
９  スカート用フック
９Ａスカート用フック
１０  ゴム
１０Ａゴム
１０Ｂゴム
１０Ｃゴム
１０Ｄゴム
１０Ｅゴム
１１  細い立体チューブ
１１Ａ細い立体チューブ
１１Ｂ細い立体チューブ
１２  カバー
【図１】
2012081228.tif 000003
【図２】
2012081228.tif 000004
【図３】
2012081228.tif 000005
(57)【要約】【課題】  カーテンのタッセルを掛ける、カーテン用房掛けを提供する。【解決手段】  羽と胴と頭と触角からなる蝶の形をした板、２枚の間にクリップ状になるようにばねを設け、羽の部分を押して胴の部分を広げてカーテンをはさみ、触角にタッセルを掛け、もう一方の触角にもタッセルの反対部分を掛けてカーテンをまとめることを特徴とするカーテン用房掛け。【選択図】図１
2012081230.tif 000002
【特許請求の範囲】
【請求項１】
羽と胴と頭と触角からなる蝶の形をした板、２枚の間にクリップ状になるようにばねを設けたことを特徴とするカーテン用房掛け。
【発明の詳細な説明】
【技術分野】
【０００１】  本発明は、カーテンのタッセルを掛ける、房掛けに関するものである。
【背景技術】
【０００２】  従来、カーテン用房掛けは壁や窓枠に取り付ける金具があった。
又、ぬいぐるみでカーテンをまとめるものや、磁石を両端につけた金属の紐でカーテンをまとめるものがあった。
【発明の概要】
【発明が解決しようとする課題】
【０００３】  そのため、次のような問題点があった。
（イ）  壁や窓枠にカーテン用房掛けの金具を取り付けるスペースが無い場合があった。
（ロ）  ぬいぐるみではうまくカーテンをまとめることができなかったり、使わないときには邪魔になっていた。
（ハ）  磁石をつけた金属の紐はインテリア性に欠けるものであった。
本発明は、これらの問題点を解決するためになされたものである。
【課題を解決するための手段】
【０００４】  羽と胴と頭と触角からなる蝶の形をした板、２枚の間にクリップ状になるようにばねを設ける。
以上を特徴とするカーテン用房掛けである。
【発明の効果】
【０００５】  直接カーテンに付けることができるため、壁や窓枠に金具を取り付ける必要が無い。
又、タッセルを使うため、カーテンをまとめやすく、使わないときはカーテンにつけたままなので、邪魔にならない。
蝶の形をしており、カーテンに止まっているように見え、インテリアとして優れている。
【図面の簡単な説明】
【０００６】
【図１】  本発明の斜視図である。
【図２】  本発明の使用状態を示した斜視図である。
【発明を実施するための形態】
【０００７】  以下、本発明の実施の形態を説明する。
羽と胴と頭と触角からなる蝶の形をした板、２枚の間にクリップ状になるようにばねを設ける。
本発明は、以上の構成よりなっている。
本発明を使用するときは、羽（１）の部分を押して胴（２）の部分を広げてカーテン（５）をはさむ。
触角（４）にタッセル（６）を掛け、もう一方の触角にもタッセルの反対部分を掛けてカーテンをまとめる。
【符号の説明】
【０００８】  １  羽
２  胴
３  頭
４  触角
５  カーテン
６  タッセル
【図１】
2012081230.tif 000003
【図２】
2012081230.tif 000004
(57)【要約】【課題】洗髪時に、顔が濡れず洗髪剤やシャワー湯水が目や耳に入り込まず、洗髪が安全に楽に行えることを目的としたシャンプーハットである。【解決手段】形態は鍔型である。鍔巾は前方より後方が長い。装着部から鍔外周部に向けて数本の溝部を設けた。鍔外周部には、後方の一部を除いて縁取りを設けた。シャワー湯水等が、溝部と縁取りを伝って後方へ集中し、縁取りの無い部分（開放部）から素早く流れ落ちることを促す構造とした。【選択図】図１
2012081226.tif 000002
【特許請求の範囲】
【請求項１】
鍔部外周縁に縁取りを設け、装着時、後方部に縁取りを除いた開放部を設けたことを特徴としたシャンプーハット。
【請求項２】
鍔部に溝部ａおよび溝部ｂを設けたことを特徴とする、請求項１記載のシャンプーハット。
【請求項３】
前方、後方の鍔部の巾の長さが異なることを特徴とする、請求項１または、請求項２記載のシャンプーハット。
【発明の詳細な説明】
【技術分野】
【０００１】本発明は、洗髪（シャンプー）の際に、洗髪剤や湯水によって顔が濡れたり、洗髪剤や湯水が、目や耳に流れ込むことを防ぐ用品である。
【背景技術】
【０００２】従来洗髪行為は目や耳に洗髪剤や湯水が流れ込むことを防ぐために、自力で行える者は前傾姿勢で頭部を下げて行い、介助を必要とする幼児や高齢者等は「鍔型の形状の物」を被って介助されて行っていることが多い。しかし既存の「鍔型の形状の物」は洗髪剤や湯水を、鍔先のすべての部分から流し落としてしまう構造であるので、首を動かすことによってどの部分からも（特に目と耳の近く）湯水等が流れ落ちてしまうため煩わしい上、顔が濡れてしまい易い。そして、目や耳に湯水等が入り込む危険性がある。自立しているが前傾姿勢がとり難い高齢者、妊婦、白内障等の術後者、および、眼科、耳鼻科、皮膚科等に何らかの問題を抱えていて顔や耳などを濡らすことを禁止されている人々にとって、シャンプーハットは便利な生活用品であるにも関わらず、市場には、このようなニーズに対応している商品が見当たらない。
【先行技術文献】
【０００３】
【特許文献１】特許公開  ２００７−１０５４３４号公報
【特許文献２】特許公開  ２００７−６１３１８号公報
【特許文献３】登録実用新案  第３０７４１９８号公報
【特許文献４】登録実用新案  第３１２０５３７号公報
【発明の概要】
【発明が解決しようとする課題】
【０００４】１、洗髪行為中に洗髪剤や湯水が目や耳に入り込むことを防ぐ。顔を濡らさない。２、シャンプー行為時の前傾姿勢からの解放。３、特許文献１記載の公報では、漏斗状のものを片手に持って顔面に当て続けていることが必要な用品であるため、自力でシャンプー行為を行うことが難しい。特許文献２記載の公報では、鍔が平面状であり、流れを誘導する工夫がされていないため湯水等が装着部後方以外からも流れ落ちる煩わしさがある上、顔が濡れてしまい易く、目に湯水等が入り込む危険性がある。特許文献３記載の公報では、特許文献２と同様である。また、装着部後方に頭囲に密着していない部分があるため頭囲と鍔との密着度が緩くなる。そのため、頭囲と鍔との間に隙間ができてしまう。その隙間から湯水等が滴り落ち、顔面全体が濡れてしまい、目に湯水等が入り込む危険性がある。特許文献４記載の公報では、鍔部外周縁に囲いを取り付けてあるため、湯水が滴り落ちる危険性は無いが、装着部後方に取り付けられた開口部があまりにも大きくて重苦しい。また、鍔の状態は平面でありシャワー圧への工夫や湯水を誘導する工夫がされていないため撓み易く、湯水の素早い流落が得難い。
【課題を解決するための手段】
【０００５】１、形態は鍔型であり、材質は頭囲に密着し隙間を作らない性質を持つ。２、鍔には、装着部から鍔部外周縁にかけて、水流を誘導する溝を設置した。そして、鍔部外周縁に縁取りを付けた。装着時最後方の一部分は縁取りを取除いて、開放部を設けた。溝によって誘導された湯水等は縁取りにぶつかり縁取りに沿って解放部に集中して流落下する構造である。３、鍔がシャワーの水圧を受けることを考慮して、顔面を保護しつつ、より速い湯水等の流落下を得るために、鍔巾は前方を短く後方を長くした。
【発明の効果】
【０００６】頭囲に密着した鍔型であり隙間がないため、湯水等は隙間から滴り落ちることが無く、顔面が濡れない。洗髪剤や湯水が、装着時後下方部分に集中して流れ落ちる構造であるため、目や耳に湯水等が入り込まない。
【図面の簡単な説明】
【０００７】
【図１】本発明の正面図
【図２】本発明の使用図
【図３】Ａ−Ａ断面図
【図４】Ｂ−Ｂ断面図
【図５】鍔先形状の応用例
【発明を実施するための形態】
【０００８】以下、本発明の実施の形態を説明する。イ、湯水等が鍔先からこぼれ落ちないように、縁取り（４）を設置する。ロ、装着部（２）から縁取り（４）にかけて、湯水等が下方向へ流れ易くするため，溝部ａ（５）を設置する。ハ、湯水等が鍔の後方に集中して流れ落ちるように、開放部（７）には縁取りを設置しない。ニ、開放部（７）には、後下方に向かう溝部ｂ（６）を設置する。ホ、設置した溝部ａ（５）、溝部ｂ（６）はシャワー湯水等の素早い集中流落下を促す。ヘ、シャワー水圧及び流落下の構造を考慮して、鍔巾は前方より後方を長く作成した。ト、応用例として、図５の縁取り部分はａ，ｂ，ｃ，ｄに示すような構造である。ａは、装着部（２）と似た形状であり形ぬき製造に最も適しており排水効率も良い。ｂは、ａの類似形である。ｃは、縁取りにぶつかる湯水を捕える機能性を考慮した。玉縁は手触りが良いので幼児用にも適する。ｄは、ｃの変形。機能的には劣るが形ぬき製造をより考慮した形である。また、鍔部（３）は、図４に示すとおり上方へ湾曲した形状をしており鍔部に湯水が溜まることなく、鍔部ａ（５）へ流れ排水を良くしている。本発明は以上のような構造である。
【０００９】１、  本発明品の使用者は、頭部を装着部（２）に密着させて被る。自立者は、片手にシャワー器具を持って髪全体を濡らした後、洗髪を行う。介助が必要な者は介助してもらう。頭囲と装着部（２）に隙間が生じないので洗髪剤やシャワー湯水は、顔面等に滴り落ちてこない。２、  洗髪剤やシャワー湯水は、溝部ａ（５）と縁取り（４）に沿って後下方に流れて行き、溝部ｂ（６）から解放部（７）に集中して流れ落ちる。顔前面や顔側面に落ちないので顔面を濡らさず、目や耳に湯水等が入り込まない。
【符号の説明】
【００１０】１、装着用穴２、装着部３、鍔部４、縁取り５、溝部ａ６、溝部ｂ７、開放部
【図１】
2012081226.tif 000003
【図２】
2012081226.tif 000004
【図３】
2012081226.tif 000005
【図４】
2012081226.tif 000006
【図５】
2012081226.tif 000007
(57)【要約】【課題】  レジャー用の椅子にパラソルを固定する固定具を提供する。【解決手段】弾性ゴム筒（Ａ）（Ｂ）二つを、背中合わせで一体とし、筒（Ａ）（Ｂ）の前面軸方向に切り欠き（１）（２）を設け、筒（Ａ）下部の片側の側面に平ゴム（３）を設け、その設ける部分の平ゴム（３）表面に接着帯（５）を設け、その平ゴム（３）先端表面に接着帯（６）を設け、そして筒（Ａ）のもう片側の側面に角カン（４）を設け、そして筒（Ｂ）上部の片側の側面に角カン（７）を設け、その筒（Ｂ）のもう片側の側面に平ゴム（８）を設け、その平ゴム（８）先端表面に接着帯（１０）を設け、そして設ける平ゴム（８）横の筒（Ａ）の側面に接着帯（９）を設ける。  以上の構成からなる椅子にパラソルを取り付ける固定具である。【選択図】図１
2012081227.tif 000002
【特許請求の範囲】
【請求項１】
イ）弾性ゴム筒（Ａ）（Ｂ）二つを、背中合わせで一体とし、筒（Ａ）（Ｂ）の前面軸方向に切り欠き（１）（２）を設ける
ロ）筒（Ａ）下部の片側の側面に平ゴム（３）を設け、その設ける部分の平ゴム（３）表面に接着帯（５）を設け、その平ゴム（３）先端表面に接着帯（６）を設け、そして筒（Ａ）のもう片側の側面に角カン（４）を設ける。
ハ）筒（Ｂ）上部の片側の側面に角カン（７）を設け、その筒（Ｂ）のもう片側の側面に平ゴム（８）を設け、その平ゴム（８）先端表面に接着帯（１０）を設け、そして設ける平ゴム（８）横の筒（Ａ）の側面に接着帯（９）を設ける。
以上の構成からなる、椅子にパラソルを取り付ける固定具である。
【発明の詳細な説明】
【技術分野】
【０００１】本発明は、レジャー用の椅子にパラソルを固定する固定具に関するものである。
【背景技術】
【０００２】従来、椅子の脚にパラソルの柄を紐等で縛って固定している。
【発明の概要】
【発明が解決しようとする課題】
【０００３】  次のような問題点があった。
椅子にパラソルを縛って固定する時、椅子の脚とパラソルの柄が丸いためクルクルして縛りにくい。
本発明は以上、この問題を解決するためになされたものである。
【課題を解決するための手段】
【０００４】イ）弾性ゴム筒（Ａ）（Ｂ）二つを、背中合わせで一体とし、筒（Ａ）（Ｂ）の前面軸方向に切り欠き（１）（２）を設ける
ロ）筒（Ａ）下部の片側の側面に平ゴム（３）を設け、その設ける部分の平ゴム（３）表面に接着帯（５）を設け、その平ゴム（３）先端表面に接着帯（６）を設け、そして筒（Ａ）のもう片側の側面に角カン（４）を設ける。
ハ）筒（Ｂ）上部の片側の側面に角カン（７）を設け、その筒（Ｂ）のもう片側の側面に平ゴム（８）を設け、その平ゴム（８）先端表面に接着帯（１０）を設け、そして設ける平ゴム（８）横の筒（Ａ）の側面に接着帯（９）を設ける。
以上の構成からなる椅子にパラソルを取り付ける固定具である。
【発明の効果】
【０００５】短時間で椅子にパラソルが固定が出来る。
【図面の簡単な説明】
【０００６】
【図１】  本発明の斜視図
【図２】  本発明の使用図
【図３】  本発明の正面図
【図４】  本発明の背面図
【図５】  本発明の左側面図
【図６】  本発明の右側面図
【図７】  本発明の平面図
【図８】  本発明の底面図
【発明を実施するための形態】
【０００７】以下、本発明の実施の形態について説明する。
イ）弾性ゴム筒（Ａ）（Ｂ）二つを、背中合わせで一体とし、筒（Ａ）（Ｂ）の前面軸方向に切り欠き（１）（２）を設ける
ロ）筒（Ａ）下部の片側の側面に平ゴム（３）を設け、その設ける部分の平ゴム（３）表面に接着帯（５）を設け、その平ゴム（３）先端表面に接着帯（６）を設け、そして筒（Ａ）のもう片側の側面に角カン（４）を設ける。
ハ）筒（Ｂ）上部の片側の側面に角カン（７）を設け、その筒（Ｂ）のもう片側の側面に平ゴム（８）を設け、その平ゴム（８）先端表面に接着帯（１０）を設け、そして設ける平ゴム（８）横の筒（Ａ）の側面に接着帯（９）を設ける。
以上のような構成でこれを使用する時は、筒（Ｂ）に設けた切り欠き（２）を外側に開いて椅子の脚に嵌め込む。そして平ゴム（８）を角カン（７）に通して、その平ゴム（８）で筒（Ｂ）と椅子の脚を絞り込み、平ゴム（８）先端の接着帯（１０）で、筒（Ａ）に設けた接着帯（９）に留める。
そして次に筒（Ａ）の切り込み（１）を外側に開き、パラソルの柄を嵌め込む。そして平ゴム（３）を角カン（４）に通し、その平ゴム（３）で筒（Ａ）とパラソルの柄を絞り込み、平ゴム（３）先端に設けた接着帯（６）で筒（Ａ）の側面に設ける接着帯（５）で留める。
こうすることで椅子にパラソルが固定出来る。
又、筒（Ａ）（Ｂ）側面に、椅子の脚とパラソルの柄をより安定に固定するために、複数の平ゴムを取り付けることもある。
【符号の説明】
【０００８】Ａ  筒
Ｂ  筒
１  切り欠き
２  切り欠き
３  平ゴム
４  角カン
５  接着帯
６  接着帯
７  角カン
８  平ゴム
９  接着帯
１０  接着帯
【図１】
2012081227.tif 000003
【図２】
2012081227.tif 000004
【図３】
2012081227.tif 000005
【図４】
2012081227.tif 000006
【図５】
2012081227.tif 000007
【図６】
2012081227.tif 000008
【図７】
2012081227.tif 000009
【図８】
2012081227.tif 000010
(57)【要約】      （修正有）【課題】長い傘や折たたみ傘に使用でき、耐久性がありかつ先端部に溜まった雨水を抜くことができる傘カバーの提供。【解決手段】傘カバー本体は防水加工された布で作られ、上部ａ及び下部Ｅの２つの部分から構成される。上部及び下部はスナップ又はマジックテープｂによって接続可能な構造とする。下部の端部には水抜き用のキャップＤを設ける。【選択図】図１
2012081242.tif 000002
【特許請求の範囲】
【請求項１】
（１）長い傘、折たたみ用をスナップ又はマジックテープて取りはずして使う事が出来る携帯用の傘カバーです（２）先端部分から雨水を抜く事が出来る人に迷惑かけない雨水がつかないように雨水を捨てる事が出来る
【発明の詳細な説明】
【技術分野】
【０００１】  本発明は雨の日に人に迷惑をかけない為  リサイクルエコにつながる為
【背景技術】
【０００２】  配布されているビニール袋は雨水がたれない様に施されている
【先行技術】
【図面の簡単な説明】
【０００３】
【図１】図１の説明    図において    ａ……防水加工されている布                          ｂ……スナップ又はマジックテープ                          ｃ……ひも                          Ｄ……マヨネーズの先端部分のように開閉出来る物
【０００４】
【図２】図２の説明    図において    長い傘の場合はスナップに止めて１本にする                          折りたたみ傘の場合は上．下をはずして半分になる
【特許文献】
【０００５】  従来の物は  ビニール製の為切れやすく水がたまるものであった
【発明が解決しようとする課題】
本発明はこの様なビニール製の問題を解決しようとするものであり雨の日に人に迷惑をかけず何度でも使えるエコにもつながる目的とするものである
【課題を解決するための手段】
そして本発明は上記目的を達成するために布先端部分にマヨネーズの先端部分のように開閉出来るもの付け水抜きが出来るように作成したものである．
【発明の効果】
本発明は人に雨水が触れないように防止するとともに長い傘、短い傘にも両兼用であり小さく携帯でき使いすてではない  ＥＣＯにつながるものである
【図１】
2012081242.tif 000003
【図２】
2012081242.tif 000004
(57)【要約】【目的】  従来パン等に焼き目をつける場合、均一になっていた場合がほとんどで、図柄を表現する場合は一定の型を用いた。しかし、同じデザインだけでは飽きてしまうし、その時の気分で図柄を変化させることはできない。又、適宜素材をデザインして加工する方法は時間と労力がかかるため、簡単に作成できる型または成形されている型を提供する。【解決手段】  アルミの薄板等の適宜な熱反射素材・耐熱素材に、文字・数字・符号・アルファベット・模様・絵・絵文字等に刺し込み部を加えた図柄がプリントされた物を切り取り、又は成形されている型を用い、図柄の方や切り抜かれた枠の方、またはその両方の様々な型を好きな位置に配置し組み合わせ加熱することにより無限大に焼き目の明暗を表現できることを特徴とするものである。又、型の裏面には対象物に応じて刺し込めるような仕掛けや、粘着剤ような一時的にくっつける加工を施したりして、横や下からの加熱にも対応した型である。【選択図】図２
2012081239.tif 000002
【特許請求の範囲】
【請求項１】
アルミの薄板等の熱反射素材・耐熱素材に、文字・数字・符号・アルファベット・模様・絵・絵文字・キャラクター等に刺し込み部をプリントされた物を切り取り、又は成形されている物を用いて、対象に配置してから加熱することを目的とした型。
【請求項２】
切り抜いた図柄の方や、切り抜かれた枠の方、またはその両方の様々な型を組み合わせることにより無限大に焼き目を変えられることを特徴とした請求項１の型。
【請求項３】
型の裏面には対象物に応じて刺し込めるような仕掛けや、場合によっては粘着剤ような一時的にくっつける加工を施したりして、よりピッタリと固定してずれないものを特徴としたもので、食材によっては刺し込み部は軽く刺し込んで隙間を持たせて使用する場合もあるし、焼き目がはっきりしない場合においては刺し込み部の数を増やし、対象物に刺し込み跡を残すことで輪郭がはっきりするものとなり、不要な場合は折り曲げて一時的に不使用にしたり、取り除くことができる請求項１又は請求項２の型。
【請求項４】
型の表面には図柄の位置を示す説明や図、デコレーションに使う場合を想定して、模様等が印刷されていることで使い易さと別用途の可能性を持った、請求項１又は請求項２又は請求項３の型。
【発明の詳細な説明】
【技術分野】
【０００１】  本発明は、オーブン・トースター・バーナー等によって生じる焼き目において、熱反射素材・耐熱素材等の適宜な材質の型を設置することにより明暗を付け、様々なものを表現できることに関するものである。
【背景技術】
【０００２】  従来の焼き目の明暗を分ける方法として、一定の型を用いる場合や、適宜素材をデザインして加工することにより可能であった。
【先行技術文献】
【０００３】
【実用新案文献１】
実用新案公開平５−８０４３４
【実用新案文献２】
登録実用新案第３１０５８４５
【発明の概要】
【発明が解決しようとする課題】
【０００４】  従来、パン等に焼き目をつける場合、均一になっていた場合がほとんどで、図柄を表現する場合、一定の型を用いるか専用のトースターが必要だったが、同じデザインだけで飽きてしまうし、その時の気分で図柄を変化させることはできない。又、適宜素材をデザインして加工する方法もあるが、時間と労力がかかる。本発明は以上の問題点を解決するものである。
【課題を解決するための手段】
【０００５】  以上の課題を解決するために、アルミの薄板等の適宜な熱反射素材・耐熱素材に、文字・数字・符号・アルファベット・模様・絵・絵文字などに刺し込み部を加えてプリントされた物を切り取り、又は成形されている物を用いて、対象に配置・固定してから加熱することを特徴としたものである。
また、切り抜いた図柄の方や、切り抜かれた枠の方、またはその両方の様々な型を好きな位置に配置し組み合わせることにより無限大に焼き目の明暗を表現できることを特徴とするものである。
また、型の裏面には対象物に応じて刺し込めるような仕掛けや、場合によっては粘着剤ような一時的にくっつける加工を施したりしてよりピッタリと固定してずれないものを特徴としたもので、不要な場合は折り曲げて一時的に不使用にしたり、取り除くことができるものである。
【発明の効果】
【０００６】  焼き目の明暗を、その時の気分で簡単に自由に組み合わせることで、表現が豊かになりアート性が増すもので、商品として提供される場合は商品価値が増すものである。又、トースト等の調理時に使用する場合、感情表現が自在にでき、より料理に気持ちを込められるものである。ピッタリと固定させることもできるので、横や下からの加熱でも対応できるものである。
明暗つきの焼き目を提供された方は、単一な焦げ目よりも見た目で楽しみを覚えることができるし、インパクトがあるので記憶に残りやすいものである。
【図面の簡単な説明】
【０００７】
【図１】本発明の斜視図
【図２】本発明が使用できる状態を示す斜視図
【図３】本発明の使用状態を示す斜視図
【発明を実施するための形態】
【０００８】  図１の適宜な熱反射素材・耐熱素材（１）にプリントされた図柄（２）を切り抜き、刺し込み部（４）を図柄（２）の裏方向へ折り曲げる。又は成形された型（３）を用い、焼き目をつけたい対象物（６）に固定させる。食材によっては刺し込み部は軽く刺し込んで隙間を持たせて使用する場合もあるし、焼き目がはっきりしない場合においては刺し込み部の数を増やし、対象物に刺し込み跡を付けることで輪郭がはっきりさせる場合もある。又、刺し込み部（４）にカエシ（５）の加工を施すことによって、よりピッタリと固定することができる。又は固定するまでもない場合は、刺し込み部（４）を折り曲げて平らにするか取り除いた後、対象物の上に置く。その後、オーブン・トースター・バーナー等により焼き目を付ける。  型を外せば、型のあった所だけ焼き目がつかず、絵として残るものである。
【他の実施形態】
【０００９】  焼き目をつける目的で提唱したこの型は、何らかにデコレーションする際にも使えたり、様々な用途を持った型である。又、表面には図柄の位置を示す説明や図、デコレーションに使う場合を想定して模様等が印刷されていても良い。
【符号の説明】
【００１０】  １、適宜な熱反射素材・耐熱素材  ２、図柄  ３、成形された型  ４、刺し込み部
５、カエシ  ６、焼き目をつけたい対象物
【図１】
2012081239.tif 000003
【図２】
2012081239.tif 000004
【図３】
2012081239.tif 000005
(57)【要約】      （修正有）【課題】人は手の爪を美しく見せるためマネキュアをした。又最近では爪に色々なアートをして美しくして楽しんでいるが、女性は常に顔の化粧の事が気になるものである。特に口紅などを時々直さなければならない時など、ほんの一部分だけでも写すものがあれば便利である。其処で親指の爪に鏡を付けることを考えた。親指を立て爪の鏡を見ると顔の一部分が写りはっきりと見る事ができた。また手を顔の横に持ってきて鏡を見ると後方を見る事もでき二つの用途がある。【解決手段】手の親指爪の部分に鏡を取り付けた。【選択図】図２
2012081236.tif 000002
【特許請求の範囲】
【請求項１】
爪に鏡を貼り付ける
【発明の詳細な説明】
【技術分野】
【０００１】本発明は爪に関するものである【０００２】従来爪にはマネキュア又はネイルアートする物だけであった【０００３】その爪に鏡を貼り付けてみた
【発明の開示】
【０００４】親指を立てて爪を見ていた時に、その親指の爪が自分の顔の方向に向いている事に気が付いた、その親指の爪と向き合いながらこの爪に自分の顔の部分を写す事ができれば好いのではないかと思い爪に鏡を貼り付けることを考えた
【発明が解決しようとする課題】
【０００５】持ち歩き用の小さな薄い鏡を切り周りを削って親指の爪の大きさにし、その鏡を爪に貼り付けてみた
【０００６】部分的に顔を写す事ができた
【課題を解決するための手段】
【０００７】爪に鏡を貼り付ける
【発明の効果】
【０００８】従来は爪に良くマニキュアをした又ネイルアートをして爪を美しくしてアートを見ることを楽しんでいた
この発明では爪に鏡を貼り付けることにより爪を美しくすると共に鏡に顔を写す事ができる又腕の位置により鏡で後方を確認することもできる
【発明を実施するための最良の形態】
【０００９】以下本発明の実施の形態を図１〜２に基づいて説明する【００１０】１図は左右の手の指を表したものであり各指に爪がある事をも表す【００１１】２図は鏡を付けた親指を立てて正面に向けたものである
【図面の簡単な説明】
【００１２】
【図１】左右の手の指の親指部分ＡとＢである、そのＡとＢに鏡を貼り付ける
【図２】Ｃは親指の爪を表す、Ｄは鏡の付いた親指を立てて正面に向けたもの
【図１】
2012081236.tif 000003
【図２】
2012081236.tif 000004
(57)【要約】【課題】  健康効果の有る５本指靴下は着脱時に非常に手間が掛かり煩わしく、ファッション性、利便性の点でも利用者が限定されていた。本発明はそれらの問題点を解消し、健康効果にファッション性、利便性を加えて、利用者をも限定しない事を提供する。【解決手段】  伸縮性布バンドに紐を付け、その紐を５本指間に掛ける、バンドの素材をファッション性の有る物で構成した５本指健康ループバンド。【選択図】図１
2012081231.tif 000002
【特許請求の範囲】
【請求項１】
バンドを輪にした片面の開口部にループ状にした指掛紐を複数設けたことを特徴とする５本指健康ループバンド
【請求項２】
バンドを輪にした片面の開口部に橋状にした指掛紐を複数設けたことを特徴とする５本指健康ループバンド
【発明の詳細な説明】
【技術分野】
【０００１】  本発明は足の指間のツボを刺激して健康促進効果を得る５本指健康ループバンドに関するもので有る。
【背景技術】
【０００２】  従来、足の指間のツボを刺激して健康効果を得るには５本指靴下型が主で有った。
【先行技術文献】
【０００３】
【特許文献１】特開平１０−５２７２号公報
【発明の概要】
【発明が解決しようとする課題】
【０００４】  ５本指靴下型は着脱時に、非常に手間が掛かり、裏返りを直す煩わしさが多大で有った。また、ファッション性、利便性にも欠けていて、利用者も限定されていた。
本発明は、これらの問題点を解決するためになされたもので有る。
【課題を解決するための手段】
【０００５】  伸縮性布バンドに紐を付け、その紐を５本指間に掛ける、バンドの素材をファッション性の有る物で構成した５本指健康ループバンド。
【発明の効果】
【０００６】  従来の５本指靴下の欠点を本発明は全て解消し、着脱時の手間や煩わしさが一切無く、非常に簡単で指間刺激での健康促進効果にファッション性も加わり、室内外対応でき、利用対象者も限定されずに多くの利便性を持っている。
【図面の簡単な説明】
【０００７】
【図１】  本発明の第１の実施例を示す斜視図
【図２】  本発明の第１の実施例の使用状態を示す斜視図
【図３】  本発明の第２の実施例を示す斜視図
【図４】  本発明の第２の実施例の使用状態を示す斜視図
【発明を実施するための形態】
【０００８】  以下、本発明の第１の実施例に係る形態を図１、図２を用いて説明する。
（イ）伸縮性の素材でできた布製のバンド（１）を足の甲部巾に輪にして、片面開口部側に指掛紐（２）をループ状にして大、中、小と３つ設ける。
（ロ）バンド（１）の寸法は足の土踏まず部から足の指付け根以内を覆う範囲で設定する。
（ハ）指掛紐（２）は大、中、小と長さを変えた３つの輪とし、３つの輪の間隔は大、中、小の間の２ヶ所に１／５間隔の巾を開けて設ける。
（ニ）指掛紐（２）は、大、中、小の大きさの輪とし、大が親指（３）、中が中指（５）、小が小指（７）を通す事のできる寸法とする。
（ホ）指掛紐（２）の太さは各指間に違和感無く納まる範囲の、直径３ｍｍ〜１０ｍｍ以内とする。
（ヘ）バンド（１）と指掛紐（２）は共に伸縮性、吸湿性、通気性、ファッション性の有る、肌触りの良い素材とする。
本発明は以上のような構造である。
【０００９】  本発明を使用するときは、伸縮性布バンド（１）を足のつま先側より入れ、足の甲（８）に装着し、指掛紐（２）の３つの輪の内の大の輪に親指を通し、中の輪に中指（５）、小の輪に小指（７）を通す。
【００１０】  この時人差指（４）と薬指（６）には指掛紐（２）の輪は掛かっていない。指掛紐（２）の３つの輪が親指（３）、人差指（４）、中指（５）、薬指（６）、小指（７）の指間付け根に接触するように伸縮性布バンド（１）の足の甲の部分での位置で調整する。指掛紐（２）が５本指全ての指間に接触して収まるので、足から抜けない。
【００１１】  続いて以下、本発明の第２の実施例に係る形態を図３、図４を用いて説明する。
（イ）伸縮性の素材でできた布製のバンド（１）を足の甲部巾に輪にして、片面開口部側に指掛紐（２）を４本、縦の橋状に設ける。
（ロ）バンド（１）の寸法は足の土踏まず部から足の指付け根以内を覆う範囲で設定する。
（ハ）指掛紐（２）の設置部はバンド（１）の横巾を４等分間隔として設け、親指（３）と人差指（４）の指間、人差指（４）と中指（５）の指間、中指（５）と薬指（６）の指間、薬指（６）と小指（７）の指間にそれぞれ１本ずつ納まる様に縦の橋状に設ける。
（ニ）指掛紐（２）の寸法は親指（３）、人差指（４）、中指（５）、薬指（６）、小指（７）がスムーズに通る長さとし、親指（３）側から小指（７）側に向かうにつれ、少しずつ短くなっている。
（ホ）指掛紐（２）の太さは各指間に違和感無く納まる３ｍｍ〜１０ｍｍ以内とする。
（ヘ）バンド（１）と指掛紐（２）は共に伸縮性、吸湿性、通気性、ファッション性が有り、肌触りの良い素材とする。
本発明は以上のような構造である。
【００１２】  本発明を使用するときは、バンド（１）を足のつま先側より入れ、足の甲（８）部に装着する。その際、開口部に付けられた４本の縦の橋状の指掛紐（２）の４本が長い寸法側より、親指（３）と人差指（４）の指間に１本、人差指（４）と中指（５）の指間に１本、中指（５）と薬指（６）の指間に１本、薬指（６）と小指（７）の指間に１本と、それぞれが納まる様に５本の指を通す。
【００１３】  この時、指掛紐（２）の長さが長い方が必ず親指（３）側となる。指掛紐（２）の４本全てが指間の付け根に接触するように、バンド（１）の足の甲の部分での位置で調整する。指掛紐（２）が５本指全ての指間に接触して納まるので足から抜けない。
【符号の説明】
【００１４】１  バンド、２  指掛紐、３  親指、４  人差指、５  中指、６  薬指、７  小指、８  足の甲
【図１】
2012081231.tif 000003
【図２】
2012081231.tif 000004
【図３】
2012081231.tif 000005
【図４】
2012081231.tif 000006
(57)【要約】      （修正有）【課題】イ、従来は肘、膝、肩などが冷えて痛いときは下着の上に貼るカイロを貼りつけていたが温度にむらがあった。ロ、体に直接貼りつける貼るカイロがあったが低温やけどをおこしていた。ハ、膝など関節部を温める場合はサポーターから遠赤外線が出て温めたり、温感タイプのシップなど使用していたが本格的に温める物ではなかった。【解決手段】関節専用カイロ１の中心にドーナツ状の発熱体１ａがあり、その発熱体の身体に密着する部分には厚めのタオル生地３が貼られており、その右、左に身体に固定するための粘着物８の付いた羽根状バンド５を設けて、その羽根状バンド５で体に固定し発熱体を体に直に貼りつける事ができるため熱を一定の温度で肌を温めて痛みを和らげる事ができる。【選択図】図１
2012081040.tif 000002
【特許請求の範囲】
【請求項１】
ドーナツ形をした発熱体と、この発熱体から右、左に伸びでるひと組の固定用バンドを設けた関節専用カイロ
【請求項２】
上記発熱体は、不織布部分の上側に身体に密着するタオル生地を貼りつけている請求項１記載の関節専用カイロ
【請求項３】
発熱体から右、左に伸びでたバンドに固定のための粘着剤層を設け、その上にハクリ紙を貼りつけている請求項１に記載の関節専用カイロ
【発明の詳細な説明】
【技術分野】
【０００１】
本発明は腕の肘、足の膝、肩の関節の部分に直に貼ってその部分を温める事により痛みを和らげるための関節専用カイロに関する。
【背景技術】
【０００２】
従来は身体の痛い部分に温感タイプの経皮鎮痛消炎剤などを貼っていた。その際の消炎剤としては、以下のようなものが知られている。
【先行技術文献】
【特許文献】
【０００３】
【特許文献１】実用新案登録第３０９７００２号
【発明の概要】
【発明が解決しようとする課題】
【０００４】
しかし、前記の温感タイプの消炎剤では、次のイ、ロ、ハのような問題があった。
イ  貼るカイロの袋に生薬を固定して肌に直接貼るタイプのカイロがあったが低温やけどの心配があった。
ロ  又衣服に貼り付けるカイロを貼っていたが熱が身体に直接つたわらないため肌の温度にむらがあった。
ハ  肘、膝、肩の関節部分に直に貼って用いる場合、関節部の動きで貼った消炎剤がめくれて長時間の加温治療効果が期待できなかった。
本発明は以上のような欠点を解消することを目的としたものであり、患部である関節部分に貼って加温治療に優れたカイロを提供するものである。
【課題を解決するための手段】
【０００５】
本発明は、ドーナツ状の発熱体と、その左右に伸びでるひと組の固定用バンドを備えていて、固定用バンドには発熱体をあてがった部分から外れなうように固定するための粘着剤からなる留め具を設けたものである。
【０００６】
関節専用カイロは不織布の袋の中に発熱体が入っており、発熱体のドーナツ状の身体に触れる部分には低温やけど防止のため厚めのタオル地を貼り付けている。
【発明の効果】
【０００７】
肌に直接貼る事ができるため熱を一定の温度で肌を温めて痛みを和らげる事ができる。
【図面の簡単な説明】
【０００８】
【図１】関節専用カイロの底面図。
【図２】関節専用カイロの側面図。
【図３】肩の関節に貼っている図。
【図４】腕の肘に貼っている図。
【図５】足の膝に貼っている図。
【発明を実施するための形態】
【０００９】
以下、本発明を実施するための形態について説明する。
【００１０】
関節専用カイロ本体１は不織布でできておりドーナツ形の袋状２の中に発熱の材料が入っており本体を化粧袋から出すと空気にふれて熱を出す事ができる。
【００１１】
３はドーナツ形の発熱部分で身体に直接密着する面には低温やけど防止のため厚めのタオル生地を不織布の上に貼り付けている。
【００１２】
４の発熱体の材料は鉄粉、活性炭、バーミキュライト、吸水性樹脂、塩類、水などの原材料でできている。
【００１３】
肘、膝、肩などは常に動かすためズレたり外れ防止のため本体をドーナツ形にして関節部の前面がくる部分７をくりぬいている。
【００１４】
また関節専用カイロのドーナツ形のくりぬき部分がある事により温度の上がりすぎを防ぐ事ができる。
【００１５】
本体１aの発熱体の横に羽根状バンド５で身体に貼りつける粘着部８を設ける粘着部の上にはハクリ紙６を貼っているので身体に貼るときはハクリ紙を剥がして使用する。
【符号の説明】
【００１６】
１    関節専用カイロ本体
１a   発熱体
２    発熱材料がは入っているドーナツ形の袋
３    ドーナツ形の発熱体の上にタオル生地を貼っている図
４    不織布でできたドーナツ形の袋の中に発熱体の材料が入っている図
５    発熱体を身体の一部に貼って、その状態を固定するための羽根状をした固定用バンド
６    バンド部分に粘着物をつけ、その上にハクリ紙を貼っている図
７    関節部の前面がくる部分でくりぬいている箇所
８    粘着剤
【図１】
2012081040.tif 000003
【図２】
2012081040.tif 000004
【図３】
2012081040.tif 000005
【図４】
2012081040.tif 000006
【図５】
2012081040.tif 000007
(57)【要約】      （修正有）【課題】既存の靴用低反発クッションは、靴の踵の深さが浅い場合には靴に踵が十分にひっかからず脱げてしまうことがある。また、従来のシューズバンドにおいてはある程度ヒールの高さがある靴にしか使用できないことと、足の甲という目立つ位置をバンドが覆うため、その靴の持つ本来のデザインが大きく変容してしまうという問題があるので、上記のヒールやデザイン性の変容の問題を改善した、靴の脱げ防止を目的としたシューズバンドを提供する。【解決手段】弾性部材のバンド３が付いた帯を、粘着部材で靴の内側の踵部分に貼り付け、歩行時に上下する踵の状態に応じて弾性部材のバンド３が伸縮し踵を適圧で押さえて靴の脱げを防止する。【選択図】図３
2012081090.tif 000002
【特許請求の範囲】
【請求項１】
弾性部材でできたバンドがついた帯を、粘着部材で靴の内側の踵部分に貼り付けて使用する、靴の脱げ防止用シューズバンド。
【発明の詳細な説明】
【技術分野】
【０００１】
本発明は、履いているうちに伸びてサイズが合わなくなってしまったパンプスなどの靴を履くときに、足の踵を適圧で固定して靴が脱げるのを防止し、歩き易くするためのシューズバンドに関するものである。
【背景技術】
【０００２】
パンプスなどの靴が脱げるのを防止するアイテムとして、靴のつま先部分に挿入、もしくは踵部分に貼り付けて靴と踵との隙間を調節する靴用低反発クッションや、靴の土踏まず部分と足の甲を取り巻くように覆うシューズパンドなどが製造、販売されている。
【先行技術文献】
【特許文献】
【０００３】
【特許文献１】実用新案登録第３１４１８２６号
【発明の概要】
【発明が解決しようとする課題】
【０００４】
前記の靴用低反発クッションでは、靴と踵との隙間を詰めることはできるが、靴の踵の深さが浅い場合には靴に踵が十分にひっかからず脱げてしまうことがある。
【０００５】
一方、従来のシューズバンドに関しては、靴を履いた状態において、ゴムなどの輪状の弾性部材を足の甲と靴の土踏まずの部分を取り巻くよう被せて装着するため、ある程度ヒールの高さがある靴にしか使用できない。また、足の甲という目立つ位置をバンドが覆うため、その靴の持つ本来のデザイン性をも大きく変容させてしまうという問題がある。
【０００６】
靴が脱げる原因として、サイズが合っていないために靴と踵の間に隙間が生じることが考えられるが、もうひとつの大きな要因として、デザイン的に靴の踵部分の深さが浅い、あるいは靴と履くひとの踵の曲線が合っていないために靴に踵がひっかからず、結果的に脱げてしまうということも考えられる。しかし逆をいえば、靴と足の踵が離れないようにしっかり固定さえしていれば、靴が脱げることはない。  
【０００７】
一例を挙げると、看護師などが履いているナースシューズなどは、ベースとなる形状は踵部分が開いていて覆われていないサンダルのようなもので、一見すると不安定だが、そこにベルトを付属させることにより歩行時の踵の上下運動にもしっかりと靴と足とを固定し、靴が脱げないようなしくみになっている。
【課題を解決するための手段】
【０００８】
上述のようなベルト機能で踵の浮きを防止する構造を利用し、弾性部材のバンドが付いた帯を靴の踵の内側部分に粘着部材で貼り付け、歩行時に上下する踵の動作に応じて弾性部材のバンドが伸縮しながら適圧で押さえ、ベルトが付属されていない靴にも同じ機能を果たすようにする。
【発明の効果】
【０００９】
本発明により靴から踵が離れて脱げてしまうのを防ぐと共に、靴と足とのフィット感を高め、歩き易くすることができる。また、靴のヒールの有無にも関わらず使用できてバンドが目立ちにくい位置にくるので、その靴のもつデザイン性を変容させにくい。
【図面の簡単な説明】
【００１０】
【図１】本発明の斜視図
【図２】本発明を靴に装着した状態図
【図３】本発明の使用状態を示す斜視図
【発明を実施するための形態】
【００１１】
以下、本発明の形態を説明する。
布地等からなる貼り付け用帯（1）の両端に切り込み部（2）を設け、そこにゴム等の弾性バンド（3）の両端をそれぞれ差し込み一緒に縫い合わせる。切り込み部（2）を設けることで、歩行時の踵の上下運動から生じる貼り付け用帯（1）にかかる負担を分散させる。貼り付け用帯（1）の裏面には粘着部材を貼り付ける。
本発明は以上の構造である。
本発明を使用するときは、貼り付け用帯（1）の裏面の粘着部材面（4）を靴の踵部分に貼り付ける。歩行時の踵の上下運動や、使用するひとの踵の曲線の形状に合わせて弾性バンド（3）が収縮し靴と踵のフィット感を高める。
【符号の説明】
【００１２】
１ 貼り付け用帯、２切込み部、３弾性バンド、４粘着部材面
【図１】
2012081090.tif 000003
【図２】
2012081090.tif 000004
【図３】
2012081090.tif 000005
(57)【要約】      （修正有）【課題】使用していない時は扁平状に折りたたんで収納できる折りたたみ式蒸し容器と専用鍋兼フライパンとの組み合わせからなる蒸し器を提供する。【解決手段】４つの壁面と正方形の底面を持ち、一方の対角線に切り込みを設け、他方の対角線に沿って折りこみ線を設け、上面を全開口にして、折りたたみ可能な箱状を形成し、底面中心部に蒸気穴大４を設け、その周囲に蒸気穴小５を設け、蒸し容器１の開口部に蓋６を形成し、蓋の四辺に蒸し容器１の厚み幅だけ内側に入り込んだ位置に高さ数ミリ程の土手を形成し、蓋６に摘み７を設け、蒸し容器１を上にのせて使用する専用鍋兼フライパン８は、開口側の四辺の縁が蒸し容器１の底の縁と重なり、開口面に平底を形成し、一辺に着脱式の取手１０を設け、扁平状に折りたたんで収納することができ、専用鍋兼フライパン８と蓋６はそのまま調理に使用することができる蒸し器。【選択図】図５
2012183282.tif 000002
【特許請求の範囲】
【請求項１】
４つの壁面と正方形の底面を持つ蒸し容器において、底面の２本の対角線の一方の対角線に端から端までの切り込みを設け、他方の対角線に沿って折りこみ線を設け、上面を全開口にして、折りたたみ可能な箱状を形成し、開いた箱状の底面中心部に蒸気穴大を設け、その周囲に多数の蒸気穴小を設け、蒸し容器の開口部と重なり合うように蓋を形成し、蓋の四辺の縁に沿って蒸し容器の厚み幅だけ内側に入り込んだ位置にして、高さ数ミリ程の土手を形成し、蓋の上面中央部に摘みを設け、この蒸し器を上にのせて使用する専用鍋兼フライパンは、開口側の面は四辺の縁が蒸し容器の底の縁と重なり合う形になり、開口面の縁の内側に蒸し容器の縁の厚み幅だけ入り込んだ位置に、高さ数ミリ程・縁と同じ程の幅の土手の内側の四辺に接する円を開口縁とし、緩やかな斜面の窪みと平底を形成し、開口面の縁の一辺の中央部に着脱式の取手を設けたことを特徴とする折りたたみ式蒸し容器と専用鍋兼フライパンとの組み合わせからなる蒸し容器。
【発明の詳細な説明】
【技術分野】
【０００１】  本発明は、調理器具に関するものである。
【背景技術】
【０００２】  従来、蒸し器は使用していない時の収納にかさばるという問題があり、工夫が必要だった。
コンパクトにした円状の蒸し器（特許文献１参照）なども知られている。
【先行技術文献】
【０００３】
【特許文献１】実用新案公開平７−２０１２３
【発明の概要】
【発明が解決しようとする課題】
【０００４】  従来、鍋とセットの蒸し容器は収納時にかさばり、場所をとっていた。折りたためる蒸し器でも、立体形状にまま大きさを小さく窄めるだけにとどまり、扁平状に折りたためる訳ではない。
本発明は、以上の問題点を解決するものである。
【課題を解決するための手段】
【０００５】  ４つの壁面と正方形の底面を持つ蒸し容器において、底面の２本の対角線の一方の対角線に端から端までの切り込みを設け、他方の対角線に沿って折りこみ線を設け、上面を全開口にして、折りたたみ可能な箱状を形成する。開いた箱状の底面中心部に蒸気穴大を設け、蒸気穴大の周囲に多数の蒸気穴小を設ける。蒸し容器の開口部とピッタリ重なり合うように蓋を形成し、蓋の四辺の縁に沿って、蒸し容器の厚み幅だけ内側に入り込んだ位置にして、高さ数ミリ程の土手を形成し、蓋の上面中央部に摘みを設ける。
この蒸し容器を上にのせて使用する専用鍋兼フライパンにおいて、開口側の面は四辺の縁が蒸し容器の底の縁とピッタリ重なり合う形になり、開口面の縁の内側に蒸し容器の縁の厚み幅だけ入り込んだ位置に、高さ数ミリ程・縁と同じ程の幅の土手の内側の四辺に接する円を開口縁とし、緩やかな斜面の窪みと平底を形成し、開口面の縁の一辺の中央部に着脱式の取手を設ける。
【発明の効果】
【０００６】  （イ）本発明により蒸し容器を使用していない時は扁平状に折りたたんで収納でき、かさばらない。
（ロ）専用鍋兼フライパンは蒸し容器を使用しない時も幅広く調理に使用でき、蓋は折りたたみ式蒸し容器の蓋をそのまま利用できる。また、丸い開口部からひさし状に四角に張り出した開口部張り出しがあるため、調理中に鍋から中身がこぼれにくい。
（ハ）取手を取り外しできることで、調理作業に邪魔な時は外しておける。専用鍋兼フライパンに使用するだけでなく、蒸し器にも使用できる。
（ニ）蒸し容器は必要に応じ段重ねで利用できる。
（ホ）蒸し容器は折りたたみ式で軽量なので携帯、移動にも便利である。
【図面の簡単な説明】
【０００７】
【図１】本発明の一部である折りたたみ式蒸し容器に斜視図
【図２】図１を折りたたみ始めた時の状態を表した斜視図
【図３】図１を完全に折りたたんだ状態を表したイメージ図
【図４】本発明の一部である専用鍋兼フライパンの斜視図
【図５】本発明の分解斜視図
【発明を実施するための形態】
【０００８】  以下、本発明の実施形態を説明する。
４つの壁面と正方形の底面を持つ蒸し容器（１）において、２本の対角線の内の一方に端から端までの切り込み（２）を設け、他方の対角線に沿って折りこみ線（３）を設け、上面を全開口にして、折りたたみ可能な箱状を形成する。開いた箱状の底面中心部に蒸気穴大（４）を設け、蒸気穴大（４）の周囲に多数の蒸気穴小（５）を設ける。蒸し容器（１）の開口部とピッタリ重なり合うように蓋（６）を形成し、蓋（６）の四辺の縁に沿って蒸し容器（１）の厚み幅だけ内側に入り込んだ位置にして高さ数ミリ程の土手を形成し、蓋（６）の上面中央部に摘み（７）を設ける。
この蒸し容器（１）を上にのせて使用する専用鍋兼フライパン（８）において、開口側の面は四辺の縁が蒸し容器（１）の底の縁とピッタリ重なり合う形になり、開口面の縁の内側に蒸し容器（１）の縁の厚み幅だけ入り込んだ位置に高さ数ミリ程・縁と同じ程の幅の土手の内側の四辺に接する円を開口縁とし緩やかな斜面の窪みと平底を形成し、開口面の縁の一辺の中央部に着脱式の取手（１０）を設ける。
本発明は以上のような構造である。
本発明を使用する際、蒸し容器として使用するときは、折りたたみ式蒸し容器（１）をたたんでいる状態から開いて箱状を形成する。専用鍋兼フライパン（８）に水を入れ、火にかけて沸騰し蒸気が上がったら、形成しておいた蒸し容器（１）を専用鍋兼フライパン（８）の上にのせ、蒸し容器（１）の中へ蒸す食品を入れ、蓋（６）をして蒸す。専用鍋兼フライパン（８）だけで使用するときは、専用鍋兼フライパン（８）に着脱式の取手（１０）を着けて使用し、必要時は、蓋（６）をする。ひさし状の開口部張り出し（９）があるのでこぼれない。折りたたみ蒸し容器（１）は使用しない際、底面の折り込み線（３）で折り込んでたたみ、収納できる。
【符号の説明】
【０００９】１蒸し容器、２切り込み、３折り込み線、４蒸気穴大、５蒸気穴小、６蓋、７摘み
８専用鍋兼フライパン、９開口部張り出し、１０取手
【図１】
2012183282.tif 000003
【図２】
2012183282.tif 000004
【図３】
2012183282.tif 000005
【図４】
2012183282.tif 000006
【図５】
2012183282.tif 000007